(57)【要約】【課題】データチャネル信号のＳＩＲをより精度良く推定することが可能な通信装置を得ること。【解決手段】本発明の通信装置は、干渉成分となるマルチパス間の相関が残留する場合に、当該マルチパス間の相関量を干渉信号電力に含めてＳＩＲを推定するＣＱＩ推定部５を備え、さらにこのＣＱＩ推定部５が、受信信号電力から共通パイロット信号電力を減算した結果である干渉成分と、共通パイロット信号におけるマルチパス間の相関量と、を含む干渉信号電力を用いて、共通パイロット信号のＳＩＲを推定するＣＰＩＣＨ−ＳＩＲ推定部２３と、前記共通パイロット信号のＳＩＲと、上位レイヤから通知される共通パイロット信号電力対データチャネル信号電力比と、を用いて、データチャネル信号のＳＩＲを推定するデータ信号−ＳＩＲ推定部２４と、を含む構成とした。【選択図】      図２
2005012512.tif 000002
【特許請求の範囲】
【請求項１】
受信品質情報として希望信号電力対干渉信号電力比（ＳＩＲ）推定し、当該ＳＩＲを送信側の通信装置に対して通知する受信側の通信装置において、
干渉成分となるマルチパス間の相関が残留する場合に、当該マルチパス間の相関量を干渉信号電力に含めてＳＩＲを推定する受信品質推定手段、
を備えることを特徴とする通信装置。
【請求項２】
前記受信品質推定手段は、
受信信号電力から共通パイロット信号電力を減算した結果である干渉成分と、共通パイロット信号におけるマルチパス間の相関量と、を含む干渉信号電力を用いて、共通パイロット信号のＳＩＲを推定する共通パイロット信号ＳＩＲ推定手段と、
前記共通パイロット信号のＳＩＲと、上位レイヤから通知される共通パイロット信号電力対データチャネル信号電力比と、を用いて、データチャネル信号のＳＩＲを推定するデータチャネル信号ＳＩＲ推定手段と、
を備えることを特徴とする請求項１に記載の通信装置。
【請求項３】
前記受信品質推定手段は、
ＲＡＫＥ合成後の信号を用いてデータチャネル信号の平均振幅値を算出する平均振幅値算出手段と、
前記平均振幅値と受信信号電力とマルチパス数とを用いてデータチャネル信号のＳＩＲを推定するデータチャネル信号ＳＩＲ推定手段と、
を備えることを特徴とする請求項１に記載の通信装置。
【請求項４】
前記受信品質推定手段は、さらに、
ＲＡＫＥ合成後の信号を用いてデータチャネル信号の平均振幅値を算出する平均振幅値算出手段と、
前記共通パイロット信号電力、前記平均振幅値および前記共通パイロット信号電力対データチャネル信号電力比を用いて、送信電力制御による送信電力抑圧量（電力オフセット量）を算出し、その結果を前記データチャネル信号のＳＩＲに反映させる電力オフセット量算出手段と、
を備えることを特徴とする請求項２に記載の通信装置。
【請求項５】
前記受信品質推定手段は、さらに、
ＲＡＫＥ合成後の信号を用いてデータチャネル信号の平均振幅値を算出する平均振幅値算出手段と、
前記共通パイロット信号電力、前記平均振幅値および前記共通パイロット信号電力対データチャネル信号電力比を用いて、送信電力制御による送信電力抑圧量（電力オフセット量）を算出し、さらに、前記送信電力抑圧量から受信信号電力の補正量を算出する電力オフセット量算出手段と、
を備え、
前記共通パイロット信号ＳＩＲ推定手段が、前記共通パイロット信号のＳＩＲの推定処理に、補正後の受信信号電力を用いることを特徴とする請求項２に記載の通信装置。
【請求項６】
前記受信品質推定手段は、さらに、
ＲＡＫＥ合成後の信号を用いてデータチャネル信号の平均振幅値を算出する平均振幅値算出手段と、
前記共通パイロット信号電力、前記平均振幅値および前記共通パイロット信号電力対データチャネル信号電力比を用いて、送信電力制御による送信電力抑圧量（電力オフセット量）を算出する電力オフセット量算出手段と、
前記データチャネル信号ＳＩＲ推定手段が、前記データチャネル信号のＳＩＲを推定するときに、さらに前記送信電力抑圧量を反映させることを特徴とする請求項２に記載の通信装置。
【請求項７】
前記受信品質推定手段は、さらに、
ＲＡＫＥ合成後の信号を用いてデータチャネル信号の平均振幅値を算出する平均振幅値算出手段と、
前記共通パイロット信号電力、前記平均振幅値および前記共通パイロット信号電力対データチャネル信号電力比を用いて、送信電力制御による送信電力抑圧量（電力オフセット量）を算出し、さらに、前記送信電力抑圧量から受信信号電力の補正量を算出する電力オフセット量算出手段と、
前記データチャネル信号ＳＩＲ推定手段が、前記データチャネル信号のＳＩＲの推定処理に、補正後の受信信号電力を用いることを特徴とする請求項３に記載の通信装置。
【請求項８】
前記受信品質推定手段は、さらに、
前記データチャネル信号のＳＩＲに対して移動速度に応じた平均化処理を行うＳＩＲ平均化手段、
を備えることを特徴とする請求項２〜７のいずれか一つに記載の通信装置。
【発明の詳細な説明】
【０００１】
【発明の属する技術分野】
本発明は、受信する無線信号に希望信号と干渉信号が混在する場合に、その無線信号の希望信号電力対干渉信号電力比（ＳＩＲ：Ｓｉｇｎａｌ  Ｐｏｗｅｒ  ｔｏ  Ｉｎｔｅｒｆｅｒｅｎｃｅ  Ｓｉｇｎａｌ  Ｐｏｗｅｒ  Ｒａｔｉｏ）を推定することが可能な通信装置に関するものであり、特に、本発明は、前記希望信号電力対干渉信号電力比を受信品質情報として用いる通信装置に関するものである。
【０００２】
【従来の技術】
以下、従来の通信装置における受信品質推定方法について説明する。たとえば、符号分割多元接続（Ｃｏｄｅ  Ｄｉｖｉｓｉｏｎ  Ｍｕｌｔｉｐｌｅ  Ａｃｃｅｓｓ：ＣＤＭＡ）を用いた移動通信システムでは、拡散符号が移動局毎に異なる。そのため、各移動局では、自局宛の信号を他移動局宛の信号と区別して受信することが可能である。しかしながら、伝搬環境によって遅延波が発生するマルチパス環境下では、直接波と遅延波との間に相関が発生し、その相関量が干渉信号成分となり、特性劣化が生じる。
【０００３】
このような通信環境においては、移動局が、受信品質情報（ＳＩＲ等）を計算し、その受信品質情報を基地局へフィードバックし、基地局が、受け取った受信品質情報に基づいて最適な変調方式や符号化率等を決定することよって、最適な情報伝送を行う（下記特許文献１参照）。ここでは、制御チャネル信号の受信品質と、基地局における制御チャネル信号およびデータチャネル信号の送信電力値と、に基づいて、移動局におけるデータチャネルの受信品質を推定し、最適な情報伝送を行う。
【０００４】
また、その他の受信品質推定方法としては、たとえば、相関器出力から拡散符号を１ビット周期ずつ順次遅延させてｎ個の遅延信号を得て、得られたｎ個の遅延信号の同相成分および直交成分の２乗和を算出し、このｎ個の２乗和の算出結果にしたがってＳＩＲを推定する方法がある（下記特許文献２参照）。
【０００５】
【特許文献１】
特開２００２−２６８０８号公報
【特許文献２】
特開平１１−２６５１号公報
【０００６】
【発明が解決しようとする課題】
しかしながら、上記特許文献１に記載の従来の受信品質推定方法では、マルチパス相関の影響が考慮されていない、という問題があった。たとえば、制御チャネル信号の拡散率とデータチャネル信号の拡散率が大きく異なる場合、具体的にいうと、制御チャネル信号の拡散率が大きくデータチャネル信号の拡散率が小さい場合には、制御チャネル信号の受信品質では、マルチパス相関の影響を十分に抑圧することが可能であるが、データチャネル信号の受信品質では、マルチパス相関の影響を十分に抑圧することができずに残留してしまうため、誤差が生じると考えられる。
【０００７】
また、上記特許文献２に記載の従来の受信品質推定方法では、雑音成分や干渉成分が希望成分に対して支配的な場合に、推定値に誤差が生じる、という問題があった。
【０００８】
本発明は、上記に鑑みてなされたものであって、制御チャネル信号の拡散率とデータチャネル信号の拡散率が大きく異なる場合であっても、また、雑音成分や干渉成分が希望成分に対して支配的な場合であっても、データチャネル信号のＳＩＲを精度良く推定することが可能な通信装置を得ることを目的とする。
【０００９】
【課題を解決するための手段】
上述した課題を解決し、目的を達成するために、本発明にかかる通信装置にあっては、受信品質情報として希望信号電力対干渉信号電力比（ＳＩＲ）を推定し、当該ＳＩＲを送信側の通信装置に対して通知する受信側の通信装置であって、干渉成分となるマルチパス間の相関が残留する場合に、当該マルチパス間の相関量を干渉信号電力に含めてＳＩＲを推定する受信品質推定手段、を備えることを特徴とする。
【００１０】
この発明によれば、たとえば、移動局が、ＳＩＲ推定時の干渉電力（受信信号電力からＣＰＩＣＨ信号電力を減算した値）にマルチパス間の相関量を含めることとし、得られた受信品質情報を基地局へフィードバックする。そして、基地局が、移動局から送られる受信品質情報にしたがって変調方式および符号化率を決定し、その決定結果を移動局への信号伝送に用いる。
【００１１】
【発明の実施の形態】
以下に、本発明にかかる通信装置の実施の形態を図面に基づいて詳細に説明する。なお、この実施の形態によりこの発明が限定されるものではない。
【００１２】
実施の形態１．
図１は、本発明にかかる通信装置の構成を示す図であり、この通信装置は、受信アンテナ１と、無線受信部２と、復調／ＲＡＫＥ合成部３と、復号部４と、ＣＱＩ（Ｃｈａｎｎｅｌ  Ｑｕａｌｉｔｙ  Ｉｎｄｉｃａｔｏｒ）推定部５と、変調部６，８と、拡散部７，９と、多重部１０と、無線送信部１１と、送信アンテナ１２から構成される。なお、本実施の形態では、ＣＤＭＡ方式を用いた場合について述べるが、ＣＤＭＡ方式を用いずに、符号系列を用いて変調された無線信号を受信し、受信側にて上記と同様の符号系列を用いて相関検波を行う通信方式であっても、同様に適用可能である。以下では、上記通信装置の構成を、無線通信システムを構成する移動局に適用した場合について説明する。
【００１３】
まず、移動局の無線受信部２では、受信アンテナ１により受信された無線信号に対して、受信電力増幅，ダウンコンバート，Ａ／Ｄ変換等の処理を行い、当該処理後の信号を復調／ＲＡＫＥ合成部３へ出力する。復調／ＲＡＫＥ合成部３では、移動局毎に割り当てられた拡散符号により逆拡散処理を行い、さらに、逆拡散後の信号に対してＲＡＫＥ合成を実行し、取り出したデータチャネル信号を復号部４へ出力する。復号部４では、受け取ったデータチャネル信号を復号し、復号信号を出力する。
【００１４】
また、無線受信部２の出力と復調／ＲＡＫＥ合成部３の出力は、ＣＱＩ推定部５へ送られ、ＣＱＩ推定部５では、移動局における受信品質を推定し、その推定結果に基づいて基地局へフィードバックする情報を決定する。そして、変調部６が当該情報を変調し、拡散部７が変調信号を拡散する。一方、変調部８では、移動局から基地局への送信データを変調する。そして、拡散部９がその変調信号を拡散する。その後、多重部１０では、上記拡散部７および９から出力される拡散後信号を多重化し、無線送信部１１では、その多重信号に対してＤ／Ａ変換，アップコンバート，送信電力増幅等の処理を行い、当該処理実行後の信号を送信アンテナ１２から基地局へ送信する。
【００１５】
図２は、実施の形態１のＣＱＩ推定部５の詳細構成を示す図であり、このＣＱＩ推定部５は、受信電力算出部２１と、伝送路推定部２２と、ＣＰＩＣＨ−ＳＩＲ推定部２３と、データ信号−ＳＩＲ推定部２４と、ＳＩＲ平均化部２５と、ＣＱＩ判定部２６から構成される。
【００１６】
まず、無線受信部２からの受信信号は、受信電力算出部２１と伝送路推定部２２へ送られる。受信電力算出部２１では、下記（１）式に示すように、特定の積分範囲の受信信号を用いて受信電力を算出する。なお、Ｎは積分範囲内チップ数を表す。
【００１７】
【数１】
2005012512.tif 000003
【００１８】
また、伝送路推定部２２では、図示しないパス検出部からの情報により、ＣＰＩＣＨ（Ｃｏｍｍｏｎ  ＰＩｌｏｔ  ＣＨａｎｎｅｌ：共通パイロットチャネル）に使用される拡散符号を用いて逆拡散し、受信割り当てパス位置の伝送路推定を行う。なお、ＣＰＩＣＨは既知情報である。また、復調／ＲＡＫＥ合成部３に伝送路推定部２２と同一の機能が備わっている場合には、復調／ＲＡＫＥ合成部３から伝送路推定値のみをＣＱＩ推定部５へ出力する。これにより、ＣＱＩ推定部５の伝送路推定部２２を削除することができる。
【００１９】
つぎに、ＣＰＩＣＨ−ＳＩＲ推定部２３では、受信電力算出部２１出力の受信電力値と、伝送路推定部２２出力の伝送路推定値と、を用いて、ＣＰＩＣＨ信号を用いたＳＩＲ（希望信号電力対干渉信号電力比）を求める。なお、本実施の形態では、マルチパス間の相関がある場合に、精度良くＳＩＲ推定を行うことを特徴とする。
【００２０】
ここで、上記マルチパス間の相関がある場合における、本実施の形態のＳＩＲ推定方法について説明する。
【００２１】
ＣＰＩＣＨ信号のＳＩＲ推定値は、拡散率をＳＦＣとすると、下記（２）式のように表すことができる。
【００２２】
【数２】
2005012512.tif 000004
【００２３】
（２）式では、受信信号電力からＣＰＩＣＨ信号電力を減算した値を干渉電力とし、拡散率ＳＦＣで補正し、逆拡散後のＳＩＲを推定している。しかしながら、この推定方法をマルチパス伝送路へ適用した場合には誤差が生じる。
【００２４】
マルチパス伝送路においては各パス間での直交性が崩れるため、逆拡散後のＳＩＲには、図３に示すように、各パス間の相関量が含まれることになる。図３は、３パスの場合を示しており、Ｐ１〜Ｐ３が各パス位置の希望信号電力を表し、Ｉ１〜Ｉ３が各パス位置の干渉信号電力を表す。上記（２）式の干渉電力中には干渉成分となる各パス間の相関量が含まれていない。
【００２５】
そこで、本実施の形態では、下記（３）式のように、ＳＩＲ推定時の干渉電力にマルチパス間の相関量を考慮した推定方法を提案する。なお、Ｎｐはマルチパス数を表す。
【００２６】
【数３】
2005012512.tif 000005
【００２７】
このように、マルチパス間の相関量は、簡易な式：（ＣＰＩＣＨ信号電力）×（マルチパス数−１）で表されることとなり、その結果、ＳＩＲ推定式も簡易な演算で実現できることとなる。
【００２８】
つぎに、上記ＣＰＩＣＨ−ＳＩＲ推定部２３にて求めたＳＩＲ値は、データ信号−ＳＩＲ推定部２４へ送られ、ここでは、下記（４）式に示すように、データチャネル信号のＳＩＲ値を推定する。なお、Γは上位レイヤから通知される情報で、ＣＰＩＣＨ信号電力対データチャネル信号電力比を表し、ＳＦＤはデータチャネル信号の拡散率を表す。
2005012512.tif 000006
【００２９】
つぎに、上記データ信号−ＳＩＲ推定部２４にて推定されたデータチャネル信号のＳＩＲ値は、ＳＩＲ平均化部２５へ送られ、ここでは、図示しない最大ドップラー周波数推定部等から送られてくる最大ドップラー周波数ｆｄにより、予め規定されたテーブルにしたがって平均化時定数を決定し、推定ＳＩＲ値を平均化する。たとえば、ｆｄが大きくなる高速移動通信環境下では、時定数を大きく取って平均化を十分に行い、ｆｄが小さくなる低速移動通信環境下では、時定数を小さく取ってレスポンスの早い平均化を行う。なお、ここでは、最大ドップラー周波数ｆｄを用いることとしたが、これに限らず、たとえば、移動速度をパラメータとしてもよい。
【００３０】
つぎに、ＳＩＲ平均化部２５にて平均化されたＳＩＲ値は、ＣＱＩ判定部２６へ送られ、ここでは、予め規定されたテーブルに保持された判定指標によりＣＱＩ値を決定し、基地局へ送信する受信品質情報を決定する。
【００３１】
このように、本実施の形態においては、移動局が、ＳＩＲ推定時の干渉電力（受信信号電力からＣＰＩＣＨ信号電力を減算した値）にマルチパス間の相関量を含めることとし、得られた受信品質情報を基地局へフィードバックすることとした。そして、基地局が、移動局から送られる受信品質情報にしたがって変調方式および符号化率を決定し、その決定結果を移動局への信号伝送に用いる。これにより、最適な受信環境を構築することができる。
【００３２】
実施の形態２．
図４は、実施の形態２のＣＱＩ推定部５の詳細構成を示す図であり、このＣＱＩ推定部５が、平均振幅値算出部３１とデータ信号−ＳＩＲ推定部３２とを含む構成とした。なお、移動局の構成については、先に説明した実施の形態１の図１と同様であるため、同一の符号を付してその説明を省略する。ここでは、実施の形態１と異なる構成および動作についてのみ説明する。
【００３３】
本実施の形態では、移動局が、ＲＡＫＥ合成後の信号（ＲＡＫＥ合成信号）からデータチャネル信号の平均振幅値を算出し、その算出結果に基づいてデータチャネル信号のＳＩＲを推定する。
【００３４】
まず、平均振幅値算出部３１では、ＲＡＫＥ合成信号を用いて平均振幅値を算出する。この平均振幅値は、ＲＡＫＥ合成信号の直交成分および同相成分それぞれの絶対値を加算して得られる平均値である。
【００３５】
そして、データ信号−ＳＩＲ推定部３２では、上記で求めた平均振幅値と、受信電力算出部２１出力の受信電力値を用いて、ＳＩＲを下記（５）式のように推定する。
【００３６】
【数４】
2005012512.tif 000007
【００３７】
なお、上記（５）式における「（データチャネル信号平均振幅値）２」を、平均振幅値算出部３１にて、ＲＡＫＥ合成信号の直交成分および同相成分それぞれの２乗値を加算して得られる、平均電力値としてもよい。
【００３８】
このように、本実施の形態においては、移動局が、データチャネル信号の平均振幅値を求め、この平均振幅値と受信信号の電力値を用いて、データチャネル信号のＳＩＲ値を推定することとした。そして、基地局が、移動局から送られる受信品質情報にしたがって変調方式および符号化率を決定し、その決定結果を移動局への信号伝送に用いる。これにより、最適な受信環境を構築することができる。
【００３９】
実施の形態３．
図５は、実施の形態３のＣＱＩ推定部５の詳細構成を示す図であり、このＣＱＩ推定部５が、電力オフセット量算出部４１を含む構成とした。なお、移動局の構成については、先に説明した実施の形態１の図１と同様であるため、同一の符号を付してその説明を省略する。ここでは、実施の形態１および２と異なる構成および動作についてのみ説明する。
【００４０】
本実施の形態では、基地局によって送信電力制御が行われ、データチャネル信号の送信電力が抑えられた場合であっても対応可能な構成について説明する。
【００４１】
たとえば、基地局におけるデータチャネル信号の送信電力抑圧量がΔｄＢである場合、移動局におけるデータチャネル信号電力とＣＰＩＣＨ信号電力との間には、下記（６）式の関係が成立する。
データチャネル信号電力＝ＣＰＩＣＨ信号電力＋Γ＋Δ［ｄＢ］    …（６）
【００４２】
ここでは、データチャネル信号電力は平均振幅値算出部３１にて算出され、ＣＰＩＣＨ信号電力は伝送路推定部２２にて推定されるので、上位レイヤ等から通知されるΓを用いて、上記送信電力抑圧量Δを求めることが可能である。
【００４３】
したがって、電力オフセット量算出部４１では、伝送路推定部２２の出力，平均振幅値算出部３１の出力およびΓを用いて、電力オフセット量Δを求める。そして、その結果をＣＱＩ判定部２６へ出力し、予め規定されたＣＱＩ判定テーブルにその内容を反映させて、より正確な判定結果を得る。
【００４４】
このように、本実施の形態においては、基地局でデータチャネル信号の送信電力制御が行われた場合であっても、移動局側でその電力抑圧量Δを推定し、その結果をＣＱＩ判定テーブルに反映させる。これにより、実施の形態１と同様の効果が得られるとともに、さらに、より正確な受信品質情報を得ることができる。
【００４５】
実施の形態４．
図６は、実施の形態４のＣＱＩ推定部５の詳細構成を示す図であり、このＣＱＩ推定部５が、電力オフセット量算出部５１とＣＰＩＣＨ−ＳＩＲ推定部５２とを含む構成とした。なお、移動局の構成については、先に説明した実施の形態１の図１と同様であるため、同一の符号を付してその説明を省略する。ここでは、実施の形態１、２および３と異なる構成および動作についてのみ説明する。
【００４６】
本実施の形態は、基地局によって送信電力制御が行われ、データチャネル信号の送信電力が抑えられた場合に、送信電力抑圧量Δだけ減少する受信信号電力を補正してＣＰＩＣＨ信号のＳＩＲを求める。つまり、送信電力制御が行われない場合に求めたＣＰＩＣＨ信号のＳＩＲと等価となる。
【００４７】
まず、電力オフセット量算出部５１では、先に説明した電力オフセット量算出部４１と同様の処理で送信電力抑圧量Δを求め、このΔから、さらに受信信号電力の補正量Ｐｒを求める。これは、補正後のデータチャネル信号電力と補正前のデータチャネル信号電力との差分に等しいので、下記（７）式のように求めることができる。
【００４８】
【数５】
2005012512.tif 000008
【００４９】
つぎに、ＣＰＩＣＨ−ＳＩＲ推定部５２では、上記電力オフセット量算出部５１にて求められた補正量Ｐｒと、受信電力算出部２１出力の受信電力と、伝送路推定部２２出力の伝送路推定値と、マルチパス数を用いて、ＣＰＩＣＨ信号のＳＩＲを下記（８）式のように推定する。
【００５０】
【数６】
2005012512.tif 000009
【００５１】
そして、データ信号−ＳＩＲ推定部２４が、上記ＣＰＩＣＨ信号のＳＩＲ推定値を用いて、データチャネル信号のＳＩＲを上記（４）式のように推定する。
【００５２】
このように、本実施の形態においては、基地局にてデータチャネル信号の送信電力制御が行われた場合であっても、移動局側でその電力抑圧量を推定し、当該電力抑圧量だけ減少する受信信号電力を補正してＣＰＩＣＨ信号のＳＩＲを求めることとした。これにより、実施の形態１と同様の効果が得られるとともに、さらに、より正確な受信品質情報を得ることができる。
【００５３】
実施の形態５．
図７は、実施の形態５のＣＱＩ推定部５の詳細構成を示す図であり、このＣＱＩ推定部５が、データ信号−ＳＩＲ推定部６１を含む構成とした。なお、移動局の構成については、先に説明した実施の形態１の図１と同様であるため、同一の符号を付してその説明を省略する。ここでは、実施の形態１〜４と異なる構成および動作についてのみ説明する。
【００５４】
本実施の形態では、基地局によって送信電力制御が行われ、データチャネル信号の送信電力が抑えられた場合に、送信電力抑圧量Δだけ減少する受信信号電力を考慮して、データキャリア信号のＳＩＲを推定する。
【００５５】
具体的にいうと、データ信号−ＳＩＲ推定部６１では、ＣＰＩＣＨ−ＳＩＲ推定部２３出力のＳＩＲ推定値と、電力オフセット量算出部４１出力の送信電力抑圧量Δと、上位レイヤ等から通知されるΓを用いて、下記（９）式のように、データチャネル信号のＳＩＲを推定する。
2005012512.tif 000010
【００５６】
このように、本実施の形態においては、基地局にてデータチャネル信号の送信電力制御が行われた場合であっても、移動局側でその電力抑圧量を推定し、当該電力抑圧量だけ減少する受信信号電力を考慮して、データキャリア信号のＳＩＲを推定することとした。これにより、実施の形態１と同様の効果が得られるとともに、さらに、より正確な受信品質情報を得ることができる。
【００５７】
実施の形態６．
図８は、実施の形態６のＣＱＩ推定部５の詳細構成を示す図であり、このＣＱＩ推定部５が、電力オフセット量算出部７１とデータ信号−ＳＩＲ推定部７２を含む構成とした。なお、移動局の構成については、先に説明した実施の形態１の図１と同様であるため、同一の符号を付してその説明を省略する。ここでは、実施の形態１〜５と異なる構成および動作についてのみ説明する。
【００５８】
本実施の形態は、基地局によって送信電力制御が行われ、データチャネル信号の送信電力が抑えられた場合に、データチャネル信号の平均振幅値を用いて、送信電力抑圧量Δだけ減少するデータチャネル信号電力を補正してデータチャネル信号のＳＩＲを推定する。
【００５９】
まず、電力オフセット量算出部７１では、先に説明した電力オフセット量算出部４１と同様の処理で送信電力抑圧量Δを求め、さらにデータチャネル信号電力をΔ分だけ補正した電力Ｐｄを、下記（１０）式のように求める。
【００６０】
【数７】
2005012512.tif 000011
【００６１】
そして、データ信号−ＳＩＲ推定部７２では、上記電力オフセット量算出部７１出力のＰｄと、受信電力算出部２１出力の受信電力と、平均振幅値算出部３１出力の平均振幅値と、マルチパス数を用いて、下記（１１）式のように、ＳＩＲ値を推定する。
【００６２】
【数８】
2005012512.tif 000012
【００６３】
このように、本実施の形態においては、基地局にてデータチャネル信号の送信電力制御が行われた場合であっても、移動局側でその電力抑圧量を推定し、当該電力抑圧量だけ減少する受信信号電力を補正してデータチャネル信号のＳＩＲを求めることとした。これにより、実施の形態１と同様の効果が得られるとともに、さらに、より正確な受信品質情報を得ることができる。
【００６４】
【発明の効果】
以上、説明したとおり、本発明によれば、たとえば、移動局が、ＳＩＲ推定時の干渉電力（受信信号電力からＣＰＩＣＨ信号電力を減算した値）にマルチパス間の相関量を含めることとし、得られた受信品質情報を基地局へフィードバックすることとした。そして、基地局が、移動局から送られる受信品質情報にしたがって変調方式および符号化率を決定し、その決定結果を移動局への信号伝送に用いる。これにより、最適な受信環境を構築することができる、という効果を奏する。
【図面の簡単な説明】
【図１】本発明にかかる通信装置の構成を示す図である。
【図２】実施の形態１のＣＱＩ推定部の詳細構成を示す図である。
【図３】マルチパス伝送路におけるパス間の相関量を示す図である。
【図４】実施の形態２のＣＱＩ推定部の詳細構成を示す図である。
【図５】実施の形態３のＣＱＩ推定部の詳細構成を示す図である。
【図６】実施の形態４のＣＱＩ推定部の詳細構成を示す図である。
【図７】実施の形態５のＣＱＩ推定部の詳細構成を示す図である。
【図８】実施の形態６のＣＱＩ推定部の詳細構成を示す図である。
【符号の説明】
１  受信アンテナ、２  無線受信部、３  復調／ＲＡＫＥ合成部、４  復号部、５  ＣＱＩ（Ｃｈａｎｎｅｌ  Ｑｕａｌｉｔｙ  Ｉｎｄｉｃａｔｏｒ）推定部、６，８  変調部、７，９拡散部、１０  多重部、１１  無線送信部、１２  送信アンテナ、２１  受信電力算出部、２２  伝送路推定部、２３，５２  ＣＰＩＣＨ−ＳＩＲ推定部、２４，３２，６１，７２  データ信号−ＳＩＲ推定部、２５  ＳＩＲ平均化部、２６  ＣＱＩ判定部、３１  平均振幅値算出部、４１，５１，７１  電力オフセット量算出部。
【図１】
2005012512.tif 000013
【図２】
2005012512.tif 000014
【図３】
2005012512.tif 000015
【図４】
2005012512.tif 000016
【図５】
2005012512.tif 000017
【図６】
2005012512.tif 000018
【図７】
2005012512.tif 000019
【図８】
2005012512.tif 000020